(57)【要約】【課題】  粘着剤が用紙の周囲からはみ出さず、かつ断裁面の所定の箇所に粘着剤が塗布されていない用紙を提供すること。【解決手段】粘着剤と剥離剤を使用し重合、貼着する用紙であって、その各々の用紙の裏面に塗布されている当該粘着剤は線状、及び／又は面状に塗布され、そして、剥離可能に重合、貼着し、断裁し、及び／又は印刷する用紙において、  剥離可能に重合、貼着する各々の用紙の粘着剤と剥離剤が塗布されている面の断裁部分の所定の箇所に粘着剤が塗布されていないこと。【選択図】  図２
2005272623.tif 000002
【特許請求の範囲】
【請求項１】
粘着剤と剥離剤を使用し重合、貼着する用紙であって、その各々の用紙の裏面に塗布されている当該粘着剤は線状、及び／又は面状に塗布され、そして、剥離可能に重合、貼着し、断裁し、及び／又は印刷する用紙において、
剥離可能に重合、貼着する各々の用紙の粘着剤と剥離剤が塗布されている面の断裁部分の所定の箇所に粘着剤が塗布されていないことを特徴とする用紙。
【請求項２】
粘着剤と剥離剤を使用し重合、貼着する用紙であって、その各々の用紙の裏面に塗布されている当該粘着剤は線状、及び／又は面状に塗布され、そして、剥離可能に重合、貼着し、断裁し、及び／又は印刷する用紙において、
剥離可能に重合、貼着する各々の用紙の粘着剤と剥離剤が塗布されている面の断裁部分の所定の箇所、及び当該用紙の裏面の内側の上、下、左、右の所定の箇所に粘着剤が塗布されていないことを特徴とする用紙。
【請求項３】
第１の用紙の裏面に剥離剤が塗布され、第２の用紙の裏面に粘着剤が塗布される用紙において、
第２の用紙の裏面に塗布された粘着剤が、用紙からはみ出さないように、第２の用紙の裏面の上、下、左、右の所定の箇所に粘着剤が塗布されていないことを特徴とする用紙。
【発明の詳細な説明】
【技術分野】
【０００１】
粘着剤と剥離剤を使用し重合、貼着する用紙であって、その各々の用紙の裏面に塗布されている当該粘着剤は線状、及び／又は面状に塗布され、そして、剥離可能に重合、貼着し、断裁し、及び／又は印刷する用紙に関する。
【背景技術】
【０００２】
従来、線状、及び／又は面状に粘着剤及び剥離剤が塗布され、互いに重合、貼着される用紙の技術がある（例えば特許文献１，２参照。）。これらの技術は粘着剤と剥離剤とを剥離可能に接着することを示している。
【０００３】
又、線状、及び／又は面状に粘着剤を塗布する場合、現在の塗工機は切れ目なく一連に塗布していくものである。
【０００４】
【特許文献１】特開平５−１１７６０４号公報（請求項１）
【特許文献２】特開２０００−４３４４８号公報（請求項１）
【発明の開示】
【発明が解決しようとする課題】
【０００５】
しかし、前記特許文献１の図１，図３及び図８等、及び特許文献２の図２に示されている如く、粘着剤を線状、面状に塗布する塗工機では途中で粘着剤の塗布を止めることが出来ず、用紙の裏面の一番上から一番下、及び／又は左側端、右側端迄塗布してしまうため、粘着剤が用紙からはみ出してしまうという、欠点があった。
【０００６】
又、前記のように粘着剤が用紙の裏面の一番上から一番下迄塗布されている場合で、その用紙を、たとえば中央で裁断する場合、粘着剤が断裁面の箇所にも塗布されていることにもなるが、このような状態で当該用紙を何枚も断裁すると断裁機の刃に粘着剤が付着してしまい断裁機の性能を低下させ、かつ修繕もしなければならないという問題点があった。当該用紙の左側端、右側端迄粘着剤が塗布されている場合、この問題点はさらに顕著になる。
【０００７】
所定の大きさに断裁された用紙、又断裁せずに初めから所定の大きさになっている用紙を用途に応じて、たとえば配送伝票に使用するといった場合、印字機、印刷機等で何枚も印刷するが、粘着剤が用紙の周囲からはみだしていると、印字機、印刷機のローラーに粘着剤が付着してしまい印字機、印刷機の耐久力、生産性等の性能を低下させ、かつ修繕（メンテナンス）が多くなるという問題点があった。ローラーは使用数が増すほど熱を帯びてくるので、この熱により粘着剤が溶けてさらにローラーに粘着剤が付着し、前記問題点が増すという事態を生じていた。
【０００８】
一方現在、あらかじめ定められた任意の形状、模様等に塗布出来る機能をもつ塗工機（コーター）が市販されており、剥離剤（シリコン）やインクの塗布に関して、一般的に利用されている。しかし、用紙の裏面に粘着剤と剥離剤が交互に塗布されるような場合における粘着剤の塗布には、利用されることなく、専ら粘着剤は他の塗工機を使用して、線状又は面状に連続して一連に塗布されていた。そこで、粘着剤についてもこの塗工機（コーター）を利用して線状、面状に粘着剤を用紙に塗布しても、用紙から粘着剤がはみ出さないようにすることが出来ないか、ということを考えて本発明を完成した。
【０００９】
したがって、本発明は粘着剤が用紙の周囲からはみ出さず、かつ断裁面の所定の箇所に粘着剤が塗布されていない用紙を提供することを目的とする。
【課題を解決するための手段】
【００１０】
前記目的を達成するため本発明の用紙は、
粘着剤と剥離剤を使用し重合、貼着する用紙であって、その各々の用紙の裏面に塗布されている当該粘着剤は線状、及び／又は面状に塗布され、そして、剥離可能に重合、貼着し、断裁し、及び／又は印刷する用紙において、
剥離可能に重合、貼着する各々の用紙の粘着剤と剥離剤が塗布されている面の断裁部分の所定の箇所に粘着剤が塗布されていないことからなる。
【００１１】
又、本発明の用紙は、
粘着剤と剥離剤を使用し重合、貼着する用紙であって、その各々の用紙の裏面に塗布されている当該粘着剤は線状、及び／又は面状に塗布され、そして、剥離可能に重合、貼着し、断裁し、及び／又は印刷する用紙において、
剥離可能に重合、貼着する各々の用紙の粘着剤と剥離剤が塗布されている面の断裁部分の所定の箇所、及び当該用紙の裏面の内側の上、下、左、右の所定の箇所に粘着剤が塗布されていないことからなる。
【００１２】
さらに、本発明の用紙は、
第１の用紙の裏面に剥離剤が塗布され、第２の用紙の裏面に粘着剤が塗布される用紙において、
第２の用紙の裏面に剥離剤が塗布された粘着剤が、用紙からはみ出さないように、第２の用紙の裏面の上、下、左、右の所定の箇所に粘着剤が塗布されていないことからなる。
【００１３】
前述した塗工機（コーター）は任意の形状、模様を設定することが出来るので、その作用を利用して、用紙の裏面に粘着剤と剥離剤を交互に塗布する場合でも、断裁部分、及び用紙の内側の周囲を、はずして粘着剤を塗布することが可能となったものである。
【００１４】
粘着剤を塗布しない幅は、場合により大小さまざまな幅にすることが出来る。又、任意の形状は、たとえば長く細長い形状、短かく細長い形状、太く長い形状、面状等種々の形状がある。
【発明の効果】
【００１５】
本発明は以上の構成を有するので、断裁機の切断刃に粘着剤が付着せず、断裁機の性能を低下させず、この付着することによる修繕（メンテナンス）も必要がなく、又印字機、印刷機のローラーに粘着剤が付着せず、印字機、印刷機の耐久力、生産性等の性能を低下させず、ローラーに粘着剤が付着することのよる修繕も必要ない、という効果を生じる。
【発明を実施するための最良の形態】
【００１６】
本発明の実施の形態の一例を図面にしたがって説明する。
図１は従来の、粘着剤が用紙の裏面の内側の周囲、即ち、上、下、左、右、及び断裁部分全てに粘着剤が塗布されている状態を示す図である。
第１の用紙１の裏面には粘着剤が塗布されている部分３と剥離剤が塗布されている部分５とが交互に配列されているが、第１の用紙１の一番上から一番下まで、及び横の断裁部分６の箇所全てに、一連に粘着剤が塗布されている。
【００１７】
第２の用紙２の裏面にも粘着剤が塗布されている部分３’と剥離剤が塗布されている部分５’が交互に配列され、塗布され、同様に第２の用紙２の一番上から一番下まで、及び、横の断裁部分６’の箇所全てに、一連に粘着剤が塗布されている。
【００１８】
図に示されている矢印は第１の用紙１と第２の用紙２を重ね合わせて貼着することを示しているが、重合、貼着すると、当該用紙１，２の裏面の内側の周囲、即ち、上、下、左、右、断裁部分の全てに粘着剤が一連に塗布されることになるが、この場合、例えば、粘着剤のはみ出し部分７，７’が生じることになる。さらに、このようなはみ出し部分７，７’は断裁部分でも生じることになる。したがって断裁機で断裁すると、断裁刃に粘着剤が付着してしまうし、印字機、印刷機を使用した場合、ローラーに粘着剤が付着してしまうものである。
なお、粘着剤と剥離剤が第１の用紙１の裏面と第２の用紙２の裏面とでは齟齬した位置に設けられているので剥離可能になっている。
【００１９】
図２は本発明の、用紙の裏面の内側の周囲、即ち、上、下、左、右、断裁部分に粘着剤が塗布されていない部分を有する用紙を示す図である。
第１の用紙８の裏面には図１と同様に粘着剤が塗布されている部分１０と剥離剤が塗布されている部分１１とが交互に配列されている。しかし第１の用紙８の内側の上の部分１３，下の部分１６，断裁部分１２の上の部分１４，下の部分１５には粘着剤が塗布されていない。さらに第１の用紙８の内側の左側面１８，右側面１９にも粘着剤は塗布されていない。
【００２０】
第２の用紙９の裏面も第１の用紙８の裏面と同様に粘着剤が塗布されている部分１０’と剥離剤が塗布されている部分１１’とが交互に配列されており、  第２の用紙の裏面の内側の上の部分１３’、下の部分１６，断裁部分１２’の上の部分１４’、下の部分１５’には粘着剤が塗布されていない。さらに第２の用紙９の裏面の内側の左側面１８’，右側面１９’にも粘着剤は塗布されていない。
【００２１】
図１，図２において粘着剤が塗布されている部分３，３’、１０，１０’の左、右には粘着剤が塗布されていない部分４，４’、１７，１７’があるが第１の用紙１，８と第２の用紙２，９を重合、貼着した場合、ずれることもあるので空白を設けたものである。したがって本発明とこの空白は直接関係がない。
【００２２】
図２において線状に塗布された粘着剤１０，１０’は場合により何本にしても良く、さらに線状と面状の組合せでも良い。
【００２３】
又、断裁部分１２，１２’は用紙８，９の大きさ等により横に何本あっても良いし、又図示していないが縦に断裁される場合もある。縦の断裁も用紙の大きさ等により何本あっても良い。縦の断裁部分も断裁部分の左側、右側には貼着剤が塗布されていないものである。
【００２４】
塗工機は任意の形状、模様等に塗布できる機能をもつコーターを使用する。即ち、線状、面状を任意の形状としてとらえることにより、用紙８，９の裏面の内側の周囲、即ち、上、下、左、右、及び断裁部分の箇所に粘着剤を塗布しない部分を作ることが出来、粘着剤が塗布されない部分の幅等は場合により、小さくすることも、大きくすることも可能である。要は用紙から粘着剤がはみ出さなければ良いのである。
【００２５】
図２に示されている矢印は第１の用紙８と第２の用紙９を重ね合わせて貼着することを示しているが、重合、貼着すると当該用紙８，９の裏面の内側の周囲、即ち、上、下、左、右、及び断裁部分には粘着剤を塗布されていない部分があるため、用紙から粘着剤がはみ出すことがなく、したがって断裁機の断裁刃、印字機のローラーに粘着剤が付着することがない。
【００２６】
図１と同様に図２も粘着剤と剥離剤が第１の用紙８と第２の用紙９の裏面とでは齟齬した位置に設けられているので剥離可能になっている。
したがって、第１の用紙８の表面に印刷した表示と第２の用紙９の表面に印刷した表示を同じにして使用することも出来る。たとえば、配送伝票を作成する場合に使用出来、用紙としてはプリント用紙等が適当である。
【００２７】
図３は第１の用紙８、第２の用紙９を断裁した用紙を示す図である。
【００２８】
本発明は、第１の用紙８，及び第２の用紙９の表面に所定の印刷（例えば、配送伝票等の場合は、配達先の住所、名称等を書き込むための欄、枠等である。）をし、次に塗工機（コーター）を使用して、第１の用紙８，及び第２の用紙９の裏面に剥離剤を塗布し、次に粘着剤を塗布し、重合、貼着し、次に断裁するものである。
又、最後に印字するのであるが、例えば配送伝票等の場合は、配達先の住所、名称等を印字するものである。
【００２９】
図５は用紙の裏面の内側の周囲、即ち、上、下、左、右に粘着剤が塗布されていない部分を有する用紙を示す図である。
第１の用紙８の裏面２１には剥離剤が塗布されており、第２の用紙９の裏面には粘着剤が塗布されいる部分２０と粘着剤が塗布されていない部分２２，即ち、用紙の裏面の内側の周囲、即ち、上、下、左、右に粘着剤が塗布されていない部分とを有する。
第１の用紙８は、例えば剥離紙等である。２枚重合、貼着し、印字機、印刷機にて印刷してもローラーに粘着剤が付着しないものである。
【図面の簡単な説明】
【００３０】
【図１】従来の、粘着剤が用紙の裏面の内側の周囲、即ち、上、下、左、右、断裁部分全てに粘着剤が塗布されている状態を示す図である。
【図２】本発明の、用紙の裏面の内側の周囲、即ち、上、下、左、右、断裁部分全てに粘着剤が塗布されていない部分を有する用紙を示す図である。
【図３】第１の用紙と第２の用紙を貼着して断裁した用紙を示す図である。
【図４】用紙の裏面の内側の周囲、即ち、上、下、左、右に粘着剤が塗布されていない部分を有する用紙を示す図である。
【符号の説明】
【００３１】
１，８    第１の用紙
２，９    第２の用紙
３，３’，１０，１０’    粘着剤を塗布した部分
４，４’，１７，１７’    空白
５，５’，１１，１１’    剥離剤を塗布した部分
６，６’，１２，１２’    断裁部分
７，７’    はみ出し部分
１３，１３’，１４，１４’，１５，１５’，１６，１６’    粘着剤が塗布されていない部分
１８，１８’    左側面
１９，１９’    右側面
２０    粘着剤が塗布されている部分
２１    剥離剤が塗布されている部分
２２    粘着剤が塗布されていない部分
【図１】
2005272623.tif 000003
【図２】
2005272623.tif 000004
【図３】
2005272623.tif 000005
【図４】
2005272623.tif 000006
【手続補正書】
【提出日】平成17年5月9日(2005.5.9)
【手続補正１】
【補正対象書類名】明細書
【補正対象項目名】００１５
【補正方法】変更
【補正の内容】
【００１５】
本発明は以上の構成を有するので、断裁機の切断刃に粘着剤が付着せず、断裁機の性能を低下させず、この付着することによる修繕（メンテナンス）も必要がなく、又印字機、印刷機のローラーに粘着剤が付着せず、印字機、印刷機の耐久力、生産性等の性能を低下させず、ローラーに粘着剤が付着することによる修繕も必要ない、という効果を生じる。
【手続補正２】
【補正対象書類名】明細書
【補正対象項目名】００２９
【補正方法】変更
【補正の内容】
【００２９】
図４は用紙の裏面の内側の周囲、即ち、上、下、左、右に粘着剤が塗布されていない部分を有する用紙を示す図である。
第１の用紙８の裏面２１には剥離剤が塗布されており、第２の用紙９の裏面には粘着剤が塗布されている部分２０と粘着剤が塗布されていない部分２２，即ち、用紙の裏面の内側の周囲、即ち、上、下、左、右に粘着剤が塗布されていない部分を有する。
第１の用紙８は、例えば剥離紙等である。２枚重合、貼着し、印字機、印刷機にて印刷してもローラーに粘着剤が付着しないものである。
【手続補正書】
【提出日】平成17年7月20日(2005.7.20)
【手続補正１】
【補正対象書類名】特許請求の範囲
【補正対象項目名】全文
【補正方法】変更
【補正の内容】
【特許請求の範囲】
【請求項１】
第１の用紙（８）の裏面及び第２の用紙（９）の裏面に粘着剤が塗布されている部分（１０，１０’）と剥離剤が塗布されている部分（１１，１１’）が交互に配列され、粘着剤が塗布されている部分（１０，１０’）と剥離剤が塗布されている部分（１１，１１’）とが第１の用紙（８）の裏面及び第２の用紙（９）の裏面では齟齬した位置に配置され、第１の用紙（８）と２の用紙（９）が重合、貼着する用紙であって、
その各々の用紙（８，９）の裏面に塗布されている当該粘着剤及び剥離剤は線状及び／又は面状に塗布され、そして剥離可能に重合、貼着され、断裁され、又は印刷される用紙において，
当該各々の用紙（８，９）の裏面に塗布されている当該粘着剤及び剥離剤の塗布が任意の形状、模様等に塗布できる塗工機にて線状及び／又は面状に塗布されること，
剥離可能に重合、貼着する各々の用紙（８，９）の粘着剤が塗布されている部分（１０，１０’）の断裁部分（１４，１４’，１５，１５’）に粘着剤が塗布されていないこと，
を特徴とする用紙。
【請求項２】
第１の用紙（８）の裏面及び第２の用紙（９）の裏面に粘着剤が塗布されている部分（１０，１０’）と剥離剤が塗布されている部分（１１，１１’）が交互に配列され、粘着剤が塗布されている部分（１０，１０’）と剥離剤が塗布されている部分（１１，１１’）とが第１の用紙（８）の裏面及び第２の用紙（９）の裏面では齟齬した位置に配置され、第１の用紙（８）と２の用紙（９）が重合、貼着する用紙であって、
その各々の用紙（８，９）の裏面に塗布されている当該粘着剤及び剥離剤は線状及び／又は面状に塗布され、そして剥離可能に重合、貼着され、断裁され、又は印刷される用紙において，
当該各々の用紙（８，９）の裏面に塗布されている当該粘着剤及び剥離剤の塗布が任意の形状、模様等に塗布できる塗工機にて線状及び／又は面状に塗布されること，
剥離可能に重合、貼着する各々の用紙（８，９）の粘着剤が塗布されている部分（１０，１０’）の断裁部分（１４，１４’，１５，１５’）、及び当該各々の用紙（８，９）の裏面の内側の上（１３，１３’）、下（１６，１６’）、左（１８，１８’）、右（１９，１９’）に粘着剤が塗布されていないことを特徴とする用紙。
【手続補正２】
【補正対象書類名】明細書
【補正対象項目名】００２０
【補正方法】変更
【補正の内容】
【００２０】
第２の用紙９の裏面も第１の用紙８の裏面と同様に粘着剤が塗布されている部分１０’と剥離剤が塗布されている部分１１’とが交互に配列されており、第２の用紙の裏面の内側の上の部分１３’、下の部分１６’、断裁部分１２’の上の部分１４’、下の部分１５’には粘着剤が塗布されていない。さらに第２の用紙９の裏面の内側の左側面１８’、右側面１９’にも粘着剤は塗布されていない。